(57)【要約】【課題】使用者がマイクを上下左右前後に動かし口部とマイクの相対位置が変動しても、口部とマイクの接触を防止すると共に、マイクの移動に追随して使用者の唾液の飛沫を捕捉可能なマイクカバー装置を提供すること。【解決手段】使用者の手で握持された状態で使用者の口部に近接させて使用されるマイクロフォン装置を、使用者が使用する際に使用されるマイクカバー装置１であって、使用者の口部とマイクロフォン装置の間の空間に配設され、開口部１３が設けられたフレーム１０と、フレーム１０の開口部１３に張設され、使用者の口部とマイクロフォン装置の接触を防止すると共に使用者から放出される唾液の飛沫を捕捉可能なエアフィルタ２０と、フレーム１０を一端で回動自在に支持する屈曲自在な柱体３０と、柱体３０の他端を支持すると共に、マイクロフォン装置を握持する手の方の腕部の前腕に装着可能なリストバンド４０と、を備える。【選択図】図４
0003227518.tif 000002
【実用新案登録請求の範囲】
【請求項１】
使用者の手で握持された状態で使用者の口部に近接させて使用されるマイクロフォン装置を、使用者が使用する際に使用されるマイクカバー装置であって、
使用者の口部とマイクロフォン装置の間の空間に配設され、開口部が設けられたフレームと、
上記フレームの上記開口部に張設され、使用者の口部とマイクロフォン装置の接触を防止すると共に使用者から放出される唾液の飛沫を捕捉可能なエアフィルタと、
上記フレームを一端で回動自在に支持する屈曲自在な柱体と、
上記柱体の他端を支持すると共に、マイクロフォン装置を握持する手の方の腕部に装着可能な装着体と、を備える、
ことを特徴とするマイクカバー装置。
【請求項２】
請求項１記載のマイクカバー装置において、
上記装着体は、腕部の前腕に装着される前腕装着体である、ことを特徴とするマイクカバー装置。
【請求項３】
請求項１記載のマイクカバー装置において、
上記装着体は、腕部の手指に装着される手指装着体である、ことを特徴とするマイクカバー装置。
【請求項４】
請求項１ないし３のいずれかに記載のマイクカバー装置において、
上記フレームの上記開口部は円形であり、上記開口部の内周面は、使用者の口部側からマイクロフォン装置側に向かうにしたがって内径が小さくなるテーパー面を有する、ことを特徴とするマイクカバー装置。
【請求項５】
請求項１ないし４のいずれかに記載のマイクカバー装置において、
上記エアフィルタは、使用者の口部側からマイクロフォン装置側に向かうにしたがって内径が小さくなるすり鉢状面を有する、ことを特徴とするマイクカバー装置。
【請求項６】
請求項１ないし５のいずれかに記載のマイクカバー装置において、
上記エアフィルタは、上記フレームの上記開口部に二重に張設される、ことを特徴とするマイクカバー装置。
【考案の詳細な説明】
【技術分野】
【０００１】
本考案は、使用者の手で握持された状態で使用者の口部に近接させて使用されるマイクロフォン装置を使用する際に使用されるマイクカバー装置に関する。
【背景技術】
【０００２】
近年、歌唱大会，歌唱教室，料亭，旅館，カラオケボックス，スナック，パブ等において、伴奏音楽を流しながらマイクロフォン装置を用いて歌唱できるカラオケ装置が発達し、今やカラオケは国民的娯楽の一つとして定着している。このカラオケで使用されるマイクは、使用者の手で握持された状態で使用者の口部に近接させて使用されるため、使用者が歌唱すると、使用者の口部がマイクに接触すると共に、口内から唾液の飛沫が放出されマイクに付着して不衛生になり易い問題がある。
【０００３】
このような問題を回避する手段について一例を挙げると、マイクにポリウレタンフォームなどの弾性発泡体によりキャップ状に形成された若干の伸縮性を有しているマイクカバーを装着する構造が開示されている（特許文献１）。
【０００４】
また、使用者の頭部に装着される頭部取付用バンドに、自在金具を介して自在支柱を接続し、自在支柱の他端に自在金具を介して防止板を接続するものが開示されている（特許文献２）。
【先行技術文献】
【特許文献】
【０００５】
【特許文献１】実開平６−９２９５号公報
【特許文献２】実全昭６３−１２５９４３号公報
【考案の概要】
【考案が解決しようとする課題】
【０００６】
しかし、特許文献１に記載のものは、例えば飛沫感染が疑われているウィルスに起因する疾患が流行している場合、一の使用者が歌い終わる毎にマイクカバーを交換しなければ不衛生であり、交換の手間がかかると共に多量のマイクカバーを要するのでコストが増大する。
【０００７】
また、特許文献２に記載のものは、カラオケを利用している使用者毎に特許文献２に記載の装置を用意させれば、交換の手間がかからずコストも抑えることができる。しかし、特許文献２に記載のものは頭部に装置を装着するので、カラオケの娯楽性を減退させてしまう虞がある。また、カラオケを歌唱する際、カラオケを楽しみ高揚した使用者は、マイクを上下左右前後に動かし口部とマイクの相対位置は変動するものであり、特許文献２に記載のものでは、頭部とマイクの位置関係によっては使用者の口部とマイクの間の空間に防止板が配置されない状態が生じ得るので、唾液の飛沫がマイクに付着する虞がある。
【０００８】
本考案はこのような事情の下になされたものであり、その目的は、カラオケの娯楽性を減退させることなく、使用者がマイクを上下左右前後に動かし口部とマイクの相対位置が変動しても、口部とマイクの接触を防止すると共に、マイクの移動に追随して使用者の唾液の飛沫を捕捉可能なマイクカバー装置を提供することにある。
【課題を解決するための手段】
【０００９】
上記課題を解決するために、マイクカバー装置は、使用者の手で握持された状態で使用者の口部に近接させて使用されるマイクロフォン装置を、使用者が使用する際に使用されるマイクカバー装置であって、使用者の口部とマイクロフォン装置の間の空間に配設され、開口部が設けられたフレームと、上記フレームの上記開口部に張設され、使用者の口部とマイクロフォン装置の接触を防止すると共に使用者から放出される唾液の飛沫を捕捉可能なエアフィルタと、上記フレームを一端で回動自在に支持する屈曲自在な柱体と、上記柱体の他端を支持すると共に、マイクロフォン装置を握持する手の方の腕部に装着可能な装着体と、を備える、ことを特徴とする（請求項１）。
【００１０】
このように構成することによって、装着体に支持された柱体を屈曲すると共に柱体に支持されたフレームを回動することにより、使用者の口部とマイクロフォン装置の間にフレームに張設されたエアフィルタを適切な位置に配設することができる。
【００１１】
マイクカバー装置は、装着体により腕部に装着されているため、頭部に装着するものと比較して装着感が良いので、カラオケの娯楽性を減退させることはない。また、装着体により腕部に装着されているため、使用者がマイクを上下左右前後に動かしても、フレームに張設されたエアフィルタがマイクの移動に追随して移動するので、使用者の口部とマイクロフォン装置の接触を防止すると共に唾液の飛沫を捕捉可能である。
【００１２】
この場合、上記装着体は、腕部の前腕に装着される前腕装着体であってもよい（請求項２）。
【００１３】
この場合、上記装着体は、腕部の手指に装着される手指装着体であってもよい（請求項３）。
【００１４】
この場合、上記フレームの上記開口部は円形であり、上記開口部の内周面は、使用者の口部側からマイクロフォン装置側に向かうにしたがって内径が小さくなるテーパー面を有する方がよい（請求項４）。
【００１５】
このように構成することによって、使用者の口部から発される音をマイクロフォン装置方面に集音することができる。このため、エアフィルタによって吸収される音を補うことができるので、カラオケの娯楽性を向上することができる。
【００１６】
この場合、上記エアフィルタは、使用者の口部側からマイクロフォン装置側に向かうにしたがって内径が小さくなるすり鉢状面を有する方がよい（請求項５）。
【００１７】
このように構成することによって、使用者がエアフィルタに口部を近づけても、エアフィルタと口部が接触し難くすることができる。
【００１８】
この場合、上記エアフィルタは、上記フレームの上記開口部に二重に張設されてもよい（請求項６）。
【００１９】
このように構成することによって、例えば口側に張設されるエアフィルタを破れ難い素材で形成することにより、強度を増すことができる。
【考案の効果】
【００２０】
本考案のマイクカバー装置によれば、上記のように構成されているので、使用者がマイクを上下左右前後に動かし口部とマイクの相対位置が変動しても、口部とマイクの接触を防止すると共に、マイクの移動に追随して使用者の唾液の飛沫を捕捉することができる。
【図面の簡単な説明】
【００２１】
【図１】第１実施形態に係るマイクカバー装置の概略分解正面図である。
【図２】図１のＡ−Ａ線矢視概略断面図である。
【図３】第１実施形態に係るマイクカバー装置を示す概略正面図である。
【図４】第１実施形態に係るマイクカバー装置を使用者に装着した状態を示す斜視図である。
【図５】第２実施形態に係るマイクカバー装置を示す概略正面図である。
【図６】図５のＢ−Ｂ線矢視概略断面図である。
【図７】第２実施形態に係るマイクカバー装置を使用者に装着した状態を示す斜視図である。
【考案を実施するための形態】
【００２２】
＜第１実施形態＞
以下、本考案の第１実施形態に係るマイクカバー装置１について、図面を参照して説明する。図１は、マイクカバー装置１の概略分解正面図が示されている。図３は、マイクカバー装置を示す概略正面図である。図４は、マイクカバー装置を使用者に装着した状態を示す斜視図である。マイクカバー装置１は、カラオケの娯楽性を減退させることなく、使用者の唾液の飛沫を捕捉することが可能な装置であって、フレーム１０と、フレーム１０の開口部１３に張設されエアフィルタ２０と、フレーム１０を支持する柱体３０と、柱体３０を支持すると共に前腕に装着されるリストバンド４０と、で主に構成されている。
【００２３】
（フレーム１０の説明）
図１〜４を参照して、フレーム１０について説明する。図１，３には、フレーム１０の正面図が示されている。図２には、フレーム１０の断面図が示されている。図４には、フレーム１０の斜視図が示されている。フレーム１０は、エアフィルタ２０を使用者の口部（以下、口部と記す。）とマイクロフォン装置（以下、マイクと記す。）の間の空間に張設させるための部材である。フレーム１０は、直径７センチの透明なリング状の樹脂材で形成されている。フレーム１０の外周には、ボール部１１が形成されている。ボール部１１は後述する柱体３０の一端に設けられたボール収容部３３に挿入され、フレーム１０を柱体３０に対してボールジョイントする。
【００２４】
図１〜３を参照して、開口部１３について説明する。図１，３には、開口部１３の正面図が示されている。図２には、フレーム１０の断面図が示されており、フレーム１０に形成された開口部１３を確認することができる。開口部１３は、フレーム１０の中心部に、口部側からマイク側の方向に設けられた略筒状の空間である。開口部１３の内周面は、図２で示すように、口部側からマイク側に向かうにしたがって内径が小さくなるテーパー面１５を有するように構成されている。この場合、開口部１３の口部側の内径は６．５センチ、マイク側の内径は５．５センチとなっている。このように、開口部１３の内周面に、口部側からマイク側に向かうにしたがって内径が小さくなるテーパー面１５を有することによって、口部から発される音をマイク方面に集音することができる。このため、エアフィルタ２０によって吸収される音を補うことができるので、カラオケの娯楽性を向上することができる。
【００２５】
（エアフィルタ２０の説明）
図１〜３を参照して、エアフィルタ２０について説明する。図１，３には、エアフィルタ２０の正面が示されている。図２には、エアフィルタ２０の断面図が示されている。図４には、エアフィルタ２０の斜視図が示されている。エアフィルタ２０は、フレーム１０により口部とマイクの間の空間に張設され、口部とマイクの接触を防止すると共に口部から放出される唾液の飛沫を捕捉する。エアフィルタ２０は、不織布を直径１０センチの円形に切断して形成されている。エアフィルタ２０は、不織布に型紙（図示せず）を張り付けることにより、ドーム状に形状されている。ドーム状に形成されたエアフィルタ２０の外径は６センチに形成されている。そして、ドーム状に形成されたエアフィルタ２０の内面には、口部側に配置されるすり鉢状面２５が形成されている。このようにエアフィルタ２０が、口部側からマイク側に向かうにしたがって内径が小さくなるすり鉢状面２５を有することによって、使用者がエアフィルタ２０に口部を近づけても、エアフィルタ２０と口部が接触し難くすることができる。なお、本実施形態においては、エアフィルタ２０として不織布を利用したが、空気を通過しつつ唾液の飛沫を捕捉することが可能な素材であれば何れであってもよい。
【００２６】
（柱体３０の説明）
図１，３，４を参照して、柱体３０について説明する。図１，３には、柱体３０の正面が示されている。図４には、使用者によって屈曲された状態の柱体３０の斜視図が示されている。柱体３０は、フレーム１０を支持すると共に、フレーム１０を使用者の所望の位置に配置するための部材である。柱体３０は、柱体本体３１と、係止片３２で主に構成されている。柱体本体３１は、屈曲自在な柱体例えば長さ１０センチのフレキシブルチューブで形成されている。フレキシブルチューブは屈曲自在であり、フレーム１０を支持する柱体３０の一端（先端）を所望の位置に配置することができる。柱体本体３１の先端には、フレーム１０の外周に形成されたボール部１１を連結可能なボール収容部３３が形成されている。柱体本体３１の他端には、係止片３２が連結されている。係止片３２は、前腕の湾曲に沿うように湾曲したプラスチック製の矩形板状体である。柱体３０は、後述するリストバンド４０に形成された孔部４１に柱体本体３１が挿通された状態で、リストバンド４０の内周に係止片３２の上面が係止することで、リストバンド４０が柱体３０を支持する。
【００２７】
（リストバンド４０の説明）
図１，３，４を参照して、リストバンド４０について説明する。図１，３には、リストバンド４０の正面図が示されている。図４には、使用者によって装着された状態のリストバンド４０の斜視図が示されている。リストバンド４０は、柱体３０の他端を支持すると共に、使用者の前腕部に装着される部材である。リストバンド４０は、本発明における装着体及び前腕装着体を構成する。リストバンド４０は、伸縮性のある材料を筒状にして形成されている。リストバンド４０には、柱体本体３１が挿通可能な孔部４１が形成されている。
【００２８】
（マイクカバー装置１の組み立て作業について）
上記のように構成される各部材を下記のように連結して、マイクカバー装置１を組み立てる。
【００２９】
まず、エアフィルタ２０とフレーム１０を連結する。図２には、エアフィルタ２０とフレーム１０を連結した状態の断面図が示されている。エアフィルタ２０とフレーム１０の連結は、エアフィルタ２０を開口部１３の口部側から挿入し、開口部１３のマイク側にエアフィルタ２０のドーム状天井が突出した状態で、エアフィルタ２０のすり鉢状面２０と対抗側の面の周縁と、フレーム１０の開口部１３の口部側内周面とを、接着剤で接着固定することにより連結する。
【００３０】
次いで、柱体３０とリストバンド４０を連結する。図３には、柱体３０とリストバンド４０を連結した状態の正面図が示されている。図４には、柱体３０とリストバンド４０を連結した状態の斜視図が示されている。柱体３０とリストバンド４０の連結は、リストバンド４０に形成された孔部４１に柱体本体３１が挿通された状態で、リストバンド４０の内周と、係止片３２の上面とを接着剤で接着固定する。
【００３１】
次いで、フレーム１０と柱体３０を連結する。図３には、フレーム１０と柱体３０を連結した状態の正面図が示されている。図４には、フレーム１０と柱体３０を連結した状態の斜視図が示されている。フレーム１０と柱体３０の連結は、フレーム１０の外周に設けられたボール部１１を、柱体３０の先端に設けられたボール収容部３３に収容固定することで連結する。柱体３０に対してボールジョイントされたフレーム１０は、ジョイント部を軸として左右前後斜め方向に回動することができる。
【００３２】
以上でマイクカバー装置１の組み立て作業は終了である。
【００３３】
（マイクカバー装置１の装着作業について）
上記のように組み立てたマイクカバー装置１は、下記のように装着する。図４には、マイクカバー装置１を使用者に装着した状態を示す斜視図が示されている。
【００３４】
使用者は、マイクを握持する手にリストバンド４０を差し入れ、リストバンド４０が前腕に達するまで挿入する。次いで、リストバンド４０を回転させ、柱体３０がマイクを持った際に上向きになる位置にする。
【００３５】
次いで、使用者は、フレキシブルチューブにて形成される柱体３０を屈曲する。使用者は、マイクを所望のベストポジションの位置で握持し、柱体３０の先端がマイクの手前斜め上の位置に配置されるように柱体３０をマイク方向に屈曲する。
【００３６】
次いで、使用者は、柱体３０に対してボールジョイントされたフレーム１０を回動させる。使用者は、フレーム１０をマイク方向に回動させて、エアフィルタ２０がマイクを覆い被さる位置まで回動する。この場合、エアフィルタ２０とマイクまでの距離は、２センチ以上５センチ以下とすることが好ましい。このように、リストバンド４０に支持された柱体３０を屈曲すると共に柱体３０に支持されたフレーム１０を回動することにより、使用者の口部とマイクの間にフレーム１０に張設されたエアフィルタ２０を適切な位置に配設することができる。
【００３７】
以上でマイクカバー装置１の装着作業は終了である。
【００３８】
上記のように装着されたマイクカバー装置１は、リストバンド４０により前腕に装着されているため、頭部に装着するものと比較して装着感が良いので、カラオケの娯楽性を減退させることはない。また、リストバンド４０により前腕に装着されているため、使用者がマイクを上下左右前後に動かしても、フレーム１０に張設されたエアフィルタ２０がマイクの移動に追随して移動するので、口部とマイクの接触を防止すると共に唾液の飛沫を捕捉可能である。
【００３９】
したがって、本考案のマイクカバー装置１によれば、使用者がマイクを上下左右前後に動かし口部とマイクの相対位置が変動しても、口部とマイクの接触を防止すると共に、マイクの移動に追随して使用者の唾液の飛沫を捕捉することができる。
【００４０】
＜第２実施形態＞
以下、本考案の第２実施形態に係るマイクカバー装置１Ａについて、図面を参照して説明する。図５は、マイクカバー装置１Ａを示す概略正面図である。図７は、マイクカバー装置１Ａを使用者に装着した状態を示す斜視図である。マイクカバー装置１Ａは、カラオケの娯楽性を減退させることなく、使用者の唾液の飛沫を捕捉することが可能な装置であって、フレーム１０Ａと、フレーム１０Ａの開口部１３Ａに張設され２枚のエアフィルタ２０Ａ，２０Ｂと、フレーム１０Ａを支持する柱体３０と、柱体３０を支持すると共に前腕に装着されるリング５０と、で主に構成されている。
【００４１】
（フレーム１０Ａの説明）
図５〜７を参照して、フレーム１０Ａについて説明する。図５には、フレーム１０Ａの正面図が示されている。図６には、フレーム１０Ａの断面図が示されている。図７には、フレーム１０Ａの斜視図が示されている。フレーム１０Ａは、エアフィルタ２０Ａ，２０Ｂを口部とマイクの間の空間に張設させるための部材である。フレーム１０Ａは、直径７センチの透明なリング状の樹脂材で形成されている。
【００４２】
図５，６を参照して、開口部１３Ａについて説明する。図５には、開口部１３Ａの正面図が示されている。図６には、フレーム１０Ａの断面図が示されており、フレーム１０Ａに形成された開口部１３Ａを確認することができる。開口部１３Ａは、フレーム１０Ａの中心部に、口部側からマイク側の方向に設けられた筒状の空間である。この場合、開口部１３Ａの内径は６センチとなっている。
【００４３】
（エアフィルタ２０Ａの説明）
図５，６を参照して、エアフィルタ２０Ａについて説明する。図５には、エアフィルタ２０Ａの正面が示されている。図６には、エアフィルタ２０Ａの断面図が示されている。図６には、エアフィルタ２０Ａの斜視図が示されている。エアフィルタ２０Ａは、フレーム１０Ａにより口部とマイクの間の空間に張設され、口部とマイクの接触を防止すると共に使用者から放出される唾液の飛沫を捕捉する。エアフィルタ２０Ａは、１インチあたり４０メッシュとなるアルミ製網を直径６．５センチの円形に切断して形成されている。なお、本実施形態においては、エアフィルタ２０Ａとしてアルミ製網を利用したが、空気を通過しつつ唾液の飛沫を捕捉することが可能な素材であれば何れであってもよい。
【００４４】
（エアフィルタ２０Ｂの説明）
図６を参照して、エアフィルタ２０Ｂについて説明する。図６には、エアフィルタ２０Ｂの断面図が示されている。エアフィルタ２０Ｂは、フレーム１０Ａにより口部とマイクの間の空間に張設され、口部とマイクの接触を防止すると共に使用者から放出される唾液の飛沫を捕捉する。エアフィルタ２０Ｂは、不織布を直径６．５センチの円形に切断して形成されている。なお、本実施形態においては、エアフィルタ２０Ｂとして不織布を利用したが、空気を通過しつつ唾液の飛沫を捕捉することが可能な素材であれば何れであってもよい。
【００４５】
（リング５０の説明）
図５，７を参照して、リング５０について説明する。図５には、リング５０の正面図が示されている。図７には、使用者によって装着された状態のリング５０の斜視図が示されている。リング５０は、柱体３０の他端を支持すると共に、使用者の手指（親指）に装着するための部材である。リング５０は、本発明における装着体及び手指装着体を構成する。リング５０は、樹脂を筒状にして形成されている。リング５０には、柱体本体３１が固定可能な連結部（図示せず。）が形成されている。
【００４６】
その他の部材は、上述した第１実施形態と同じなので同一符号を記して説明を省略する。
【００４７】
（マイクカバー装置１Ａの組み立て作業について）
上記のように構成される各部材を下記のように連結して、マイクカバー装置１Ａを組み立てる。
【００４８】
まず、エアフィルタ２０Ａとフレーム１０Ａを連結する。図６には、エアフィルタ２０Ａとフレーム１０Ａを連結した状態の断面図が示されている。エアフィルタ２０Ａとフレーム１０Ａの連結は、エアフィルタ２０Ａの周縁と、フレーム１０Ａの口側の開口部１３Ａ周縁とを、接着剤で接着固定することにより連結する。
【００４９】
次いで、エアフィルタ２０Ｂとフレーム１０Ａを連結する。図６には、エアフィルタ２０Ｂとフレーム１０Ｂを連結した状態の断面図が示されている。エアフィルタ２０Ｂとフレーム１０Ａの連結は、エアフィルタ２０Ｂの周縁と、フレーム１０Ａのマイク側の開口部１３Ａ周縁とを、接着剤で接着固定することにより連結する。
【００５０】
このように、エアフィルタ２０Ａ，２０Ｂをフレーム１０Ａの開口部１３Ａに対し二重に張設して、口側に張設されるエアフィルタ２０Ａを破れ難い素材で形成することにより、強度を増すことができる。
【００５１】
次いで、柱体３０とリング５０を連結する。図５には、柱体３０とリング５０を連結した状態の正面図が示されている。図７には、柱体３０とリング５０を連結した状態の斜視図が示されている。柱体３０とリング５０の連結は、リング５０に形成された連結部に柱体本体３１の下端（他端）を接着剤で接着固定する。
【００５２】
次いで、フレーム１０Ａと柱体３０を連結する。フレーム１０Ａと柱体３０の連結は、第１実施形態と同様にすることができる。
【００５３】
以上でマイクカバー装置１Ａの組み立て作業は終了である。
【００５４】
（マイクカバー装置１Ａの装着作業について）
上記のように組み立てたマイクカバー装置１Ａは、下記のように装着する。図７には、マイクカバー装置１Ａを使用者に装着した状態を示す斜視図が示されている。
【００５５】
使用者は、マイクを握る握持する手指の親指にリング５０を挿入する。次いで、リング５０を回転させ、柱体３０がマイクを持った際に上向きになる位置にする。
【００５６】
次いで、使用者は、フレキシブルチューブにて形成される柱体３０を屈曲する。使用者は、マイクを所望のベストポジションの位置で握持し、柱体３０の先端がマイクの手前斜め上の位置に配置されるように柱体３０をマイク方向に屈曲する。
【００５７】
次いで、使用者は、柱体３０に対してボールジョイントされたフレーム１０Ａを回動させる。使用者は、フレーム１０Ａをマイク方向に回動させて、エアフィルタ２０Ａ，２０Ｂがマイクを覆い被さる位置まで回動する。この場合、エアフィルタ２０Ｂとマイクまでの距離は、２センチ以上５センチ以下とすることが好ましい。このように、リング５０に支持された柱体３０を屈曲すると共に柱体３０に支持されたフレーム１０Ａを回動することにより、使用者の口部とマイクの間にフレーム１０Ａに張設されたエアフィルタ２０Ａ，２０Ｂを適切な位置に配設することができる。
【００５８】
以上でマイクカバー装置１Ａの装着作業は終了である。
【００５９】
上記のように装着されたマイクカバー装置１Ａは、リング５０により手指に装着されているため、頭部に装着するものと比較して装着感が良いので、カラオケの娯楽性を減退させることはない。また、リング５０により手指に装着されているため、使用者がマイクを上下左右前後に動かしても、フレーム１０Ａに張設されたエアフィルタ２０Ａ，２０Ｂがマイクの移動に追随して移動するので、使用者の口部とマイクの接触を防止すると共に唾液の飛沫を捕捉可能である。
【００６０】
したがって、本考案のマイクカバー装置１Ａによれば、カラオケの娯楽性を減退させることなく、使用者がマイクを上下左右前後に動かし口部とマイクの相対位置が変動しても、口部とマイクの接触を防止すると共に、マイクの移動に追随して使用者の唾液の飛沫を捕捉することができる。
【００６１】
本考案は上記の実施形態及び実施例の例示に限定されるものでなく、実用新案登録請求の範囲の技術的範囲には、考案の要旨を逸脱しない範囲内で種々、設計変更した形態が含まれる。
【符号の説明】
【００６２】
１，１Ａ  マイクカバー装置
１０，１０Ａ  フレーム
１３，１３Ａ  開口部
１５  テーパー面
２０，２０Ａ，２０Ｂ  エアフィルタ
２５  すり鉢状面
３０  柱体
４０  リストバンド（装着体，前腕装着体）
５０  リング（装着体，手指装着体）
【図１】
0003227518.tif 000003
【図２】
0003227518.tif 000004
【図３】
0003227518.tif 000005
【図４】
0003227518.tif 000006
【図５】
0003227518.tif 000007
【図６】
0003227518.tif 000008
【図７】
0003227518.tif 000009